(57)【特許請求の範囲】
【請求項１】
時刻を指示するための文字板および針が上方に設けられるムーブメントを受けるために構成されたケースバンドと、ガラス蓋と、
ケースバンドへ固定される裏蓋と、
６時の位置と１２時の位置において前記ケースバンドへそれぞれ固定される第１のバンド部分および第２のバンド部分を含む時計バンドとを有し、
裏蓋はケースバンドの下側を完全に覆い、一体に形成された第１のウィングおよび第２のウィングを有し、それらのウィングは、時計バンドの第１のバンド部分と第２のバンド部分との間に位置させられ、前記ケースバンドの側面を完全に覆うように延長しており、前記裏蓋は、硬さが１０００ＶＰＨ以上の硬質金属またはセラミックで作られている
ことを特徴とする腕時計の側。
【発明の詳細な説明】
【０００１】
【産業上の利用分野】
本発明は、時刻を指示するための文字板および針が上に設けられるムーブメントを受けるために構成されたケースバンドと、ガラス蓋と、ケースバンドへ固定される裏蓋と、６時の位置と１２時の位置において前記ケースバンドへそれぞれ取りつけられる第１のバンド部分および第２のバンド部分を含む時計バンドとを含む腕時計の側に関するものである。
【０００２】
【従来の技術】
上記の一般的な定義で挙げた基本的な部品を含む腕時計の側を提案しようとする人は、誰でも多くの可能性を利用できる。高級な外観を与えることが求められ、しかも、加えられる外部のストレスに対して優れた耐性、とくに引っかき傷に対する耐性を持つことが望まれる場合には、たとえばサファイアガラス使用し、特許ＣＨ−Ａ−５１７  ９６３（米国特許第３  ２４２  ６６４号）に示されているような超硬質材料の外部キャップをケースバンドに取りつけることができる。しかし、この場合には、裏蓋は鋼製であるので、それの外観は急速に劣化することがある。同様に、ケースバンドを飾るキャップは外観および重量の観点から非常に重苦しい感じを与える。
【０００３】
【発明が解決しようとする課題】
本発明は上記欠点を改善し、裏蓋をも含めて外観上優れた時計を提供することである。
【０００４】
【課題を解決するための手段】
本発明の側は、前記要素を含むことに加えて、裏蓋がケースバンドの下側を完全に覆い、一体に形成された第１のウィングと第２のウィングを含み、それらのウィングはバンドの第１のバンド部分と第２のバンド部分の間に位置させられ、ケースバンドの側面を少なくとも完全に覆うように延長している。
【０００５】
【実施例】
図１は本発明を用いる腕時計の全体的な外観を示す。この図にはガラス蓋５と、文字板３と、針４とが示されている。裏蓋６にはウィング９が一体に形成される。そのウィングは、ムーブメントを納めるケースバンドの側方に沿って立ち上がる。この図ではケースバンドとムーブメントは見えない。ウィング９から竜頭３０が突き出る。竜頭は時刻合わせに用いる。図１は時計バンドのバンド部分７と８が腕時計へ固定されていることを示す。あぶみ形又はフェルール（ｆｅｒｒｕｌｅ）形の部品がバンド部分７、８と腕時計の間に設けられる。
【０００６】
次に、図１の矢印ＩＩの向きに見た平面図を示す図２と、図１のＩＩＩ−ＩＩＩ  線に沿う横断面図を示す図３と、図１のＩＶ−ＩＶ  線に沿う横断面図を示す図４とを参照する。それらの図に示す腕時計はムーブメント２を納めるケースバンド１２が示されている。ムーブメントの上には文字板３と時刻支持用の針４とが設けられる。ケースバンド１２へガラス蓋５と裏蓋６が固定される。時計バンドの第１のバンド部分７がケースバンド１２の６時位置に固定され、第２のバンド部分８がケースバンド１２の１２時位置に固定される。
【０００７】
本発明の重要な特徴によれば、裏蓋６はケースバンド１２の下側を全面的に覆い、それぞれ一体に形成された第１のウィングと第２のウィングを含む。それらのウィングは、ケースバンドの少なくとも外部の側面を全面的に覆うために延長する。裏蓋６は図５に平面図で示され、ケースバンド１２は図８に同様に平面図で示されている。図５と図８を重ね合わせると、裏蓋６がケースバンド１２の下側を完全に覆うことがわかる。他方、図５と図６は、裏蓋６が第１のウィング９と第２のウィング１０と一体に形成されていることを示す。ウィング９は図３に示すようにケースバンド１２の側面１１を完全に覆う。これは、図８と図５および図１０と図６を重ね合わせることによってもわかる。ウィング１０はケースバンド１２の側面１１を同様に完全に覆う。もっともこれは図には示されておらず、図８はケースバンド１２の４分の１、３時位置から６時位置の部分、だけを示す。フェルール１８の間にあるケースバンドの外部の側面１１だけが裏蓋６のウィング９と１０によって覆われる、すなわち、図１から容易にわかるように、３時位置と９時位置の領域内に位置させられている側だけがウィング９と１０により覆われることがわかる。
【０００８】
図３は、第１のウィング９がガラス蓋５により覆われていることを示す。ガラス蓋５はケースバンド１２をこえて突出している。図３は、裏蓋の寸法の違い、とくに裏蓋がセラミックのような焼結材料のモールドによって製造されている場合に、寸法の違いを吸収するために、ウィング９とガラス蓋５の間に残されている僅かな間隙を示す。同様に、ウィングとガラス蓋の間隙ができるだけ狭いようにして、ウィング９の立上り部３１を十分に丸くすることに注意すべきである。
【０００９】
図１２は図３に示す構造の変更例を示す。図１２では、ガラス蓋５の側方１３がケースバンド１２の外部の側１１と同一レベルであるようにして、ウィング９がその側方１３を覆うことがわかる。
【００１０】
次に、時計バンドのバンド部分をケースバンドへ取りつける方法について説明する。
図２、図４、図８、図９は、ケースバンド１２の６時の位置に、バンド部分７の長手方向に突き出た延長部１４が形成されていることを示す。図には示されていないが、ケースバンド１２の１２時位置にもバンド部分８の長手方向に突き出た延長部１５が形成されている。延長部１４、１５は、図４に示すように、バンド部分をケースバンドへ取りつけるための取りつけ部として機能する。延長部１４はあぶみの形のフェルール１８により覆われる。そのフェルール１８は図１１に独立して示されている。時計バンドのバンド部分７を実際に組立てる前にフェルール１８は延長部１４の上に差し込むようにして置かれる。延長部１４の端部にはナックル３２が設けられる。そのナックル３２にプレート３３が関節状に取りつけられる。プレート３３には蝶番ピンが設けられ、プレート３３はバンド部分７の第１のリンクを受けるように構成される。第１のリンク３４は動くことができる。
【００１１】
図４、図５、図７は、裏蓋６にも延長部１６と１７があり、これがケースバンド１２の延長部１４と１５を少なくとも部分的に覆っていることを示す。それらの延長部１６、１７はフェルール１８（図１１）により示されている端部３５と３６の間の場所を占める。フェルール１８は、ケースバンドの延長部のうち、裏蓋の延長部により覆われていない残りの部分を覆う。
【００１２】
裏蓋６の延長部１６、１７に設けられている穴２０を通って、延長部１４、１５に設けられているねじ穴２１にねじ込まれるねじ１９（図１４）により、裏蓋６はケースバンド１２へ固定される（図２、５、６、７、８、９も参照）。
【００１３】
ガラス蓋５は接着またははんだづけによりケースバンド１２へ固定される（図３、４）。そのような固定手段およびケースバンドの上端部を隠すために、ガラス蓋の下側に金属層３７が付着される。
【００１４】
ここで、側の内部でのムーブメントの組立について述べる。ムーブメント２とケースバンド１２の間にケーシング環２２が挿入される（図３、４も参照されたい）。ムーブメント２はビード４１により支持される。そのビードはケーシング環２２のハウジング４０の中に設けられる。ケーシング環２２とケースバンド１２に同時に形成されているハウジング２４（図８、図９、図１０参照）と裏蓋６の間にパッキング２３が圧縮される。ケースバンドにはフランジ２５も一体に形成される。裏蓋がねじ１９によりケースバンド１２へ固定されると、文字板３はフランジ２５の下側へ押しつけられる。ケース内への収納は下側から行われる。
【００１５】
ここまでの説明で、硬さが１０００ＶＰＨに等しいか、それよりも高い硬質金属またはセラミックで裏蓋およびそれのウィングが製造されることができるから、本発明の時計は製造が容易で、非常に軽い外観を示すが、引っかき傷に対して強い外装となる。時計バンドのバンド部分のリンクは裏蓋の材料と同じ材料で製作することが好ましい。
【００１６】
全ての機能部品、すなわち、時計バンドのバンド部分の取りつけ部の取りつけ、ムーブメントおよびガラス蓋の位置ぎめ、裏蓋の固定はケースバンド単独で行わねばならないことにも注目されたい。ケースバンド自体は通常の金属で製作される。したがって、時計バンドによる引っぱり力はケースバンドへ伝えられて、引っぱり力に弱い材料へは伝えられない。時計バンドのバンド部分７、８と、フェルール１８と、裏蓋６およびそれのウィング９とがセラミックで製作されているとすると、時計は一体の外観を示す、すなわち、ガラス蓋を除きセラミックで外部全体が覆われているような外観を呈する。
【００１７】
図は長方形の側とドーム状のガラス蓋を示す。本発明はこの種の実施例に限定されるものではない。たとえば、平らなガラス蓋または球面状ガラス蓋を使用できる。また、円形または多角形の側も使用できる。それらの場合には、裏蓋のウィングはもはや直線状ではなく、丸形か、時計バンドの取りつけ部の間の形に合わせた形にする。
【００１８】
最後に、本発明の構造は、とくに、硬くてもろい材料でケースバンドの側面に沿って立ちあがってケースバンドを覆い、機械的機能およびシール機能は金属製ケースバンドにより担わせているので経済的である。
【図面の簡単な説明】
【図１】本発明の腕時計の斜視図である。
【図２】３時の位置と６時の位置にある時計の４分の１を示す、図１の矢印ＩＩの向きで見た平面図である。
【図３】図１のＩＩＩ−ＩＩＩ  線に沿う３時の位置における横断面図である。
【図４】図１のＩＶ−ＩＶ  線に沿う６時の位置における横断面図である。
【図５】時計の裏蓋の平面図である。
【図６】図５のＶＩ−ＶＩ  線に沿う裏蓋の横断面図である。
【図７】図５の矢印ＶＩＩ  の向きに見た図である。
【図８】時計の３時の位置と６時の位置の間の４分の１の部分により表わされている時計の側の上面図である。
【図９】図８の線ＩＸ−ＩＸ  に沿う横断面図である。
【図１０】図８の線Ｘ−Ｘ  に沿う横断面図である。
【図１１】図１の矢印ＸＩに従う側に隣接する時計バンドのリンクの図である。
【図１２】図３に示す実施例の変形例を示す３時の位置における横断面図である。
【符号の説明】
２  ムーブメント
３  文字板
５  ガラス蓋
６  裏蓋
７，８  時計バンドのバンド部分
９，１０  ウィング
１１  外部の側面
１２  ケースバンド
【図１】
0003556680.tif 000002
【図７】
0003556680.tif 000003
【図１１】
0003556680.tif 000004
【図２】
0003556680.tif 000005
【図４】
0003556680.tif 000006
【図３】
0003556680.tif 000007
【図１２】
0003556680.tif 000008
【図５】
0003556680.tif 000009
【図６】
0003556680.tif 000010
【図８】
0003556680.tif 000011
【図９】
0003556680.tif 000012
【図１０】
0003556680.tif 000013